(57)【要約】【課題】既存の通信網の構成を変更することなく、通話経路を切り替え可能とする。【解決手段】通信端末を識別する端末識別子と、通信端末のユーザを識別するユーザ識別子とを対応づけたユーザ情報を記憶するユーザ情報記憶部３０３と、通話相手端末との通話開始時に、通話相手端末を識別する第１端末識別子を記憶する識別子記憶部３０２と、通話相手端末と通話中に、第１端末識別子と異なる第２端末識別子を含む呼出し信号を受信した場合、ユーザ情報に基づき、第１及び第２端末識別子が同一のユーザ識別子に対応づけられているか否かを判定する端末識別子判定部３０４と、第１及び第２端末識別子が同一のユーザ識別子に対応づけられている場合に、第２端末識別子の示す通信端末との通話へ切り替える通話制御部３０５とを備える。【選択図】図６
2008022368.tif 000002
【特許請求の範囲】
【請求項１】
任意の通信端末を識別する端末識別子と、前記通信端末のユーザを識別するユーザ識別子とを対応づけたユーザ情報を記憶するユーザ情報記憶部と、
通話相手端末との通話開始時に、前記通話相手端末を識別する第１端末識別子を記憶する識別子記憶部と、
前記通話相手端末と通話中に、前記第１端末識別子と異なる第２端末識別子を含む呼出し信号を受信した場合、前記ユーザ情報に基づき、前記第１及び第２端末識別子が同一のユーザ識別子に対応づけられているか否かを判定する端末識別子判定部と、
前記第１及び第２端末識別子が同一のユーザ識別子に対応づけられている場合に、前記第２端末識別子の示す通信端末との通話へ切り替える通話制御部
とを備えることを特徴とする移動通信端末。
【請求項２】
前記ユーザ情報が、アドレス帳機能によって作成されたものであることを特徴とする請求項１に記載の移動通信端末。
【請求項３】
前記通話制御部は、前記第１及び第２端末識別子が同一のユーザ識別子に対応づけられている場合、前記第２端末識別子の示す通信端末と自動的に通話を開始することを特徴とする請求項１又は２に記載の移動通信端末。
【請求項４】
前記通話制御部は、前記第１及び第２端末識別子が同一のユーザ識別子に対応づけられている場合、前記第２端末識別子の示す通信端末と通話を開始するか否かを選択するようユーザに促し、前記ユーザからの選択操作に応じて前記第２端末識別子の示す通信端末と通話を開始することを特徴とする請求項１〜３のいずれか１項に記載の移動通信端末。
【請求項５】
通信網を介して通信する第１及び第２移動通信端末間の通話を切り替える通話切り替え方法であって、  
前記第１移動通信端末が、自端末を識別する第１端末識別子を含む呼設定要求を送信するステップと、
前記第２移動通信端末が、前記第１端末識別子を含む呼出し信号を受信した場合に、前記第１端末識別子を記憶するステップと、
前記第１移動通信端末が、前記第２移動通信端末と通話中に、固定通信端末と接続すると共に、前記固定通信端末を介して、前記固定通信端末を識別する第２端末識別子を含む呼設定要求を送信するステップと、
前記第２移動通信端末が、前記第２端末識別子を含む呼出し信号を受信した場合に、前記第１及び第２端末識別子の示す通信端末のユーザが同一であるか否かを判定し、判定結果に応じて前記固定通信端末との通話へ切り替えるステップ
とを含むことを特徴とする通話切り替え方法。
【請求項６】
通信網を介して通信する第１及び第２移動通信端末間の通話を切り替える通話切り替え方法であって、  
前記第１移動通信端末が、前記第２移動通信端末に対する呼設定要求を送信すると共に、前記第２移動通信端末を識別する第１端末識別子を記憶するステップと、
前記第２移動通信端末が、前記第１移動通信端末と通話中に、固定通信端末と接続すると共に、前記固定通信端末を介して、前記固定通信端末を識別する第２端末識別子を含む呼設定要求を送信するステップと、
前記第１移動通信端末が、前記第２端末識別子を含む呼出し信号を受信した場合に、前記第１及び第２端末識別子の示す通信端末のユーザが同一であるか否かを判定し、判定結果に応じて前記固定通信端末との通話へ切り替えるステップ
とを含むことを特徴とする通話切り替え方法。
【請求項７】
通信網を介して通信する第１及び第２移動通信端末間の通話を切り替える通話切り替え方法であって、  
前記第１移動通信端末が、前記第２移動通信端末に対する呼設定要求を送信すると共に、前記第２移動通信端末を識別する第１端末識別子を記憶するステップと、
前記第２移動通信端末が、前記第１移動通信端末と通話中に、固定通信端末と接続すると共に、前記固定通信端末を介して、前記固定通信端末を識別する第２端末識別子を含む呼設定要求を送信するステップと、
前記第１移動通信端末が、前記第２端末識別子を含む呼出し信号を受信した場合に、前記第１及び第２端末識別子の示す通信端末のユーザが同一であるか否かを判定し、判定結果に応じて前記第２移動通信端末との接続を切断すると共に、前記第２移動通信端末に対する呼設定要求を送信するステップと、
前記第２移動通信端末が、呼出し信号に応じて、前記固定通信端末を介して前記第１移動通信端末と通話を再開するステップ
とを含むことを特徴とする通話切り替え方法。
【発明の詳細な説明】
【技術分野】
【０００１】
本発明は、通話経路の切り替えを行う移動通信端末及び通話切り替え方法に関する。
【背景技術】
【０００２】
携帯電話端末を固定電話端末へ有線接続することで、固定電話端末からの安定した通信を実現すると共に、携帯電話端末に入力した暗証番号によって課金先を選択可能とする手法が提案されている（特許文献１参照。）。
【０００３】
更に、Ｂｌｕｅｔｏｏｔｈ（登録商標）等の近距離無線通信技術の発達により、携帯電話端末を固定電話端末と無線接続し、携帯電話端末を家の中では固定電話の子機として使えるといった通信サービスの形態であるＦＭＣ（Fixed Mobile Convergence）が注目されている。この技術によれば、屋外では携帯電話網を用いた通信を行い、家の中では固定電話網を用いた通信を行うことで、通信料金の低減や通信速度の高速化が可能となる。
【特許文献１】特開２００１−１９７２２４号公報
【発明の開示】
【発明が解決しようとする課題】
【０００４】
上述したＦＭＣにおいて、携帯電話網を用いた通話中に屋外から家の中に移動した場合、通話を維持したまま固定電話網への切り替え（ハンドオーバ）を可能とするためには、通信網側に専用のシステムを構築する必要があるため、携帯電話端末及び固定電話端末が、同一の電話会社、同一の電話番号である必要がある。
【０００５】
上記問題点を鑑み、本発明は、既存の通信網の構成を変更することなく、通話を切り替え可能な移動通信端末及び通話切り替え方法を提供することを目的とする。
【課題を解決するための手段】
【０００６】
上記目的を達成するために、本発明の第１の特徴は、通信端末を識別する端末識別子と、通信端末のユーザを識別するユーザ識別子とを対応づけたユーザ情報を記憶するユーザ情報記憶部と、通話相手端末との通話開始時に、通話相手端末を識別する第１端末識別子を記憶する識別子記憶部と、通話相手端末と通話中に、第１端末識別子と異なる第２端末識別子を含む呼出し信号を受信した場合、ユーザ情報に基づき、第１及び第２端末識別子が同一のユーザ識別子に対応づけられているか否かを判定する端末識別子判定部と、第１及び第２端末識別子が同一のユーザ識別子に対応づけられている場合に、第２端末識別子の示す通信端末との通話へ切り替える通話制御部とを備える移動通信端末であることを要旨とする。
【０００７】
この特徴によれば、ある通信端末と通話中に、異なる通信端末から新たな着信があった場合に、通話相手端末と、新たな着信の発信側端末とが同一のユーザのものであるかに応じて、通話を切り替えることができる。
【０００８】
第２の特徴は、第１の特徴に係る移動通信端末において、ユーザ情報が、アドレス帳機能によって作成されたものであることを要旨とする。
【０００９】
第３の特徴は、第１又は第２の特徴に係る移動通信端末において、第１及び第２端末識別子が同一のユーザ識別子に対応づけられている場合、第２端末識別子の示す通信端末と自動的に通話を開始することを要旨とする。
【００１０】
第４の特徴は、第１〜第３のいずれかの特徴に係る移動通信端末において、通話制御部は、第１及び第２端末識別子が同一のユーザ識別子に対応づけられている場合、第２端末識別子の示す通信端末と通話を開始するか否かを選択するようユーザに促し、ユーザからの選択操作に応じて第２端末識別子の示す通信端末と通話を開始することを要旨とする。
【００１１】
第５の特徴は、通信網を介して通信する第１及び第２移動通信端末間の通話を切り替える通話切り替え方法であって、第１移動通信端末が、自端末を識別する第１端末識別子を含む呼設定要求を送信するステップと、第２移動通信端末が、第１端末識別子を含む呼出し信号を受信した場合に、第１端末識別子を記憶するステップと、第１移動通信端末が、第２移動通信端末と通話中に、固定通信端末と接続すると共に、固定通信端末を介して、固定通信端末を識別する第２端末識別子を含む呼設定要求を送信するステップと、第２移動通信端末が、第２端末識別子を含む呼出し信号を受信した場合に、第１及び第２端末識別子の示す通信端末のユーザが同一であるか否かを判定し、判定結果に応じて固定通信端末との通話へ切り替えるステップとを含むことを要旨とする。
【００１２】
第６の特徴は、通信網を介して通信する第１及び第２移動通信端末間の通話を切り替える通話切り替え方法であって、第１移動通信端末が、第２移動通信端末に対する呼設定要求を送信すると共に、第２移動通信端末を識別する第１端末識別子を記憶するステップと、第２移動通信端末が、第１移動通信端末と通話中に、固定通信端末と接続すると共に、固定通信端末を介して、固定通信端末を識別する第２端末識別子を含む呼設定要求を送信するステップと、第１移動通信端末が、第２端末識別子を含む呼出し信号を受信した場合に、第１及び第２端末識別子の示す通信端末のユーザが同一であるか否かを判定し、判定結果に応じて固定通信端末との通話へ切り替えるステップとを含むことを要旨とする。
【００１３】
第７の特徴は、通信網を介して通信する第１及び第２移動通信端末間の通話を切り替える通話切り替え方法であって、第１移動通信端末が、第２移動通信端末に対する呼設定要求を送信すると共に、第２移動通信端末を識別する第１端末識別子を記憶するステップと、第２移動通信端末が、第１移動通信端末と通話中に、固定通信端末と接続すると共に、固定通信端末を介して、固定通信端末を識別する第２端末識別子を含む呼設定要求を送信するステップと、第１移動通信端末が、第２端末識別子を含む呼出し信号を受信した場合に、第１及び第２端末識別子の示す通信端末のユーザが同一であるか否かを判定し、判定結果に応じて第２移動通信端末との接続を切断すると共に、第２移動通信端末に対する呼設定要求を送信するステップと、第２移動通信端末が、呼出し信号に応じて、固定通信端末を介して第１移動通信端末と通話を再開するステップとを含むことを要旨とする。
【発明の効果】
【００１４】
本発明によれば、既存の通信網の構成を変更することなく、通話を切り替え可能な移動通信端末及び通話切り替え方法を提供できる。
【発明を実施するための最良の形態】
【００１５】
次に、図面を参照して、本発明の実施形態を説明する。以下の実施形態における図面の記載において、同一又は類似の部分には同一又は類似の符号を付している。
【００１６】
（第１実施形態）
＜移動通信システム＞
本発明の第１実施形態に係る移動通信システムは、図１に示すように、携帯電話端末（移動通信端末）１，２と、固定電話端末（固定通信端末）３と、通信網４とを備える。携帯電話端末１は、２系統の無線通信インタフェースを具備し、固定電話端末３及び通信網４と同時に通信可能なように構成されている。第１実施形態においては、携帯電話端末１が発信動作を行い、携帯電話端末２が着信動作を行う場合について説明する。
【００１７】
通信網４は、固定電話網４１と、携帯電話網４２とを備える。固定電話網４１と携帯電話網４２は相互に接続され、互いに通信可能なように構成されている。固定電話網４１は、交換機４１１と、図示を省略する複数の加入者交換機等を備える。交換機４１１と複数の加入者交換機は互いに接続され、複数の加入者交換機のそれぞれには固定電話端末等が接続される。
【００１８】
携帯電話網４２は、位置制御、呼制御、及びサービス制御等を行う交換機４１２と、複数の基地局４１３，４１４と、図示を省略する複数の基地局制御装置等を備える。複数の基地局４１３，４１４のそれぞれは、通信可能なエリアであるセルを構成する。図１の例では、携帯電話端末１は基地局４１３と通信し、携帯電話端末２は基地局４１４と通信している。
【００１９】
また、携帯電話網４２の交換機４１２は、ある携帯電話端末が通話中に他の呼から着信があった場合に適用される「通話中着信（コールウェイティング）サービス」を提供している。通話中着信サービスでは、交換機は、通話中に別の相手から電話がかかってきたことを通知し、後から電話をかけてきた別の相手との通話に移行できるようにする。第１実施形態においては、携帯電話端末２が通話中着信サービスに契約・登録しているものとする。
【００２０】
通話中着信サービスの一例としては、キャッチホン（登録商標）サービスが挙げられる。キャッチホンサービスでは、通話中に別の相手から電話がかかってきたことを交換機から音によって通知されると、通話中の電話をオフフックすることなく保留状態とし、後から電話をかけてきた別の相手との通話に移行可能となる。
【００２１】
更に、携帯電話端末２は、通信端末を識別する端末識別子（以下、「端末ＩＤ」）と、通信端末のユーザを識別するユーザ識別子（以下、「ユーザＩＤ」）とを対応づけたユーザ情報を予め記憶している。端末ＩＤとしては電話番号が利用できるが、通信端末を一意に識別可能な情報であれば良く、電話番号に限定されるものではない。ユーザ情報としては、例えば携帯電話端末２のアドレス帳機能を利用できる。ユーザ情報の詳細については後述する。
【００２２】
＜通話切り替え方法＞
次に、図２に示すシーケンス図を参照して、図１の移動通信システムに適用される通話切り替え方法について説明する。ただし、携帯電話端末１が最初に携帯電話網４２と通信し、その後に固定電話端末３を介して固定電話網４１と通信する場合について説明する。
【００２３】
ステップＳ１１において、発信側の携帯電話端末１は、着信側の携帯電話端末２の端末ＩＤを指定して発呼する。なお、説明の便宜上、図２では携帯電話端末１の端末ＩＤを“ＩＤ１”とし、携帯電話端末２の端末ＩＤを“ＩＤ２”とし、固定電話端末３の端末ＩＤを“ＩＤ３”としている。携帯電話端末１が通信網４（携帯電話網４２）に送信する呼設定要求には、自端末の端末ＩＤ“ＩＤ１”と、携帯電話端末２の端末ＩＤ“ＩＤ２”が含まれている。
【００２４】
ステップＳ１２において、携帯電話網４２は、携帯電話端末１の端末ＩＤ“ＩＤ１”と、携帯電話端末２の端末ＩＤ“ＩＤ２”を含む呼出し信号を報知する。着信側の携帯電話端末２は、呼出し信号を受信し、携帯電話端末２のユーザの操作によって携帯電話端末１とのコネクションを設定する。
【００２５】
ステップＳ１３において、着信側の携帯電話端末２は、発信側の携帯電話端末１の端末ＩＤ“ＩＤ１”を記憶する。
【００２６】
ステップＳ１４で、携帯電話端末１と携帯電話端末２との間で通話が開始される。ここで、発信側の携帯電話端末１が移動したことにより、固定電話端末３と通信可能な状態になったものとする。
【００２７】
ステップＳ１５において、発信側の携帯電話端末１は、固定電話端末３と接続を確立する。更に、発信側の携帯電話端末１は、着信側の携帯電話端末２に対する呼設定要求を、固定電話端末３に通知する。
【００２８】
ステップＳ１６において、固定電話端末３は、ステップＳ１５で通知された呼設定要求を、固定電話網４１に通知する。この呼設定要求には、固定電話端末３の端末ＩＤ“ＩＤ３”と、着信側の携帯電話端末２の端末ＩＤ“ＩＤ２”が含まれている。固定電話網４１の交換機４１１は、呼設定要求を携帯電話網４２の交換機４１２に転送する。
【００２９】
ステップＳ１７において、携帯電話網４２の交換機４１２は、携帯電話端末２が通話中であるため、着信側の携帯電話端末２が通話中着信サービスを利用しているか否かを判定する。着信側の携帯電話端末２は通話中着信サービスを利用しているため、携帯電話網４２の交換機４１２は、ステップＳ１８において、固定電話端末３の端末ＩＤ“ＩＤ３”と、着信側の携帯電話端末２の端末ＩＤ“ＩＤ２”を含む呼出し信号を報知する。
【００３０】
ステップＳ１９において、携帯電話端末２は、上述したユーザ情報を参照して、ステップＳ１８で通知された端末ＩＤ“ＩＤ３”と、ステップＳ１３で記憶した端末ＩＤ“ＩＤ１”とが、同一のユーザに対応づけられているか否かを判定する。ここでは、端末ＩＤ“ＩＤ３”と、端末ＩＤ“ＩＤ１”とが同一のユーザに対応づけられているので、着信側の携帯電話端末２は、現在通話中のユーザからの着呼であると判定する。
【００３１】
ステップＳ２０において、着信側の携帯電話端末２は、固定電話網４１を用いた通話に自動的に切り替える。この結果、ステップＳ２１において、携帯電話端末１と携帯電話端末２は、固定電話端末３及び固定電話端末３を介した通話を開始する。
【００３２】
このように、第１実施形態に係る通話切り替え方法によれば、発信側の携帯電話端末１が携帯電話網４２を用いた通話中に、通話を維持したまま固定電話網４１への切り替えを自動的に行うことができる。
【００３３】
＜発信側端末＞
次に、発信側の携帯電話端末１の構成について説明する。携帯電話端末１は、図３に示すように、第１及び第２アンテナ１０１，１０２と、第１及び第２無線回路１０３，１０４と、信号処理回路１０５と、ＣＰＵ１０６と、メモリ１０８と、キー入力装置１０９と、音声制御回路１０７と、マイク１１２と、スピーカ１１１と、表示装置１１０を備える。
【００３４】
第１無線回路１０３は、携帯電話網４２との通信時に用いられ、例えばＣＤＭＡ方式又はＧＳＭ方式等に準拠した構成を有している。これに対して第２無線回路１０４は、固定電話端末３と通信可能であり、例えばＩＥＥＥ８０２．１１ａ／ｂ／ｇ等の無線ＬＡＮ方式、あるいはＢｌｕｅｔｏｏｔｈ（登録商標）等の近距離無線方式に準拠した構成を有している。第２無線回路１０４は、通信可能な範囲内に固定電話端末３が存在する場合に、所定のプロトコルに従って通信を確立する。
【００３５】
ユーザからマイク１１２に送話音声が入力されると、音声制御回路１０７は、マイク１１２からの音声信号をデジタル信号に変換し、このデジタル信号を信号処理回路１０５に伝達する。信号処理回路１０５は、第１無線回路１０３を用いて通話を行う場合、デジタル信号を通信に適したタイミング、フォーマットに変換して、第１無線回路１０３に伝達する。第１無線回路１０３は、周波数のアップコンバート等を行い、第１アンテナ１０１から電波として送出する。
【００３６】
信号処理回路１０５は、第２無線回路１０４を用いて通話を行う場合も同様に、デジタル信号を通信に適したタイミング、フォーマットに変換して、第２無線回路１０４に伝達する。第２無線回路１０４は、信号処理回路１０５の出力に対し、周波数のアップコンバート等を行い、第２アンテナ１０２から電波として送出する。
【００３７】
ＣＰＵ１０６は、メモリ１０８に記憶されたプログラムに従って動作し、携帯電話端末１全体を制御する。メモリ１０８は、ＲＯＭ及びＲＡＭ、あるいは不揮発性メモリ等により構成され、各種のデータを記憶する。
【００３８】
キー入力装置１０９は、発呼時の相手番号を入力する数字キー、発呼の開始を指示する発呼開始キー、通話の終了を指示する通話終了キー等に対する入力操作を監視し、入力操作があった場合は直ちにＣＰＵ１０６に通知する。表示装置１１０は例えば液晶表示装置（ＬＣＤ）であり、ＣＰＵ１０６の制御下で各種の情報を表示する。
【００３９】
次に、図４に示すフローチャートを参照して、発信側の携帯電話端末１の詳細な動作について説明する。
【００４０】
先ずステップＳ１０１において、携帯電話端末１は、携帯電話網４２を介して携帯電話端末２と通話を行う。携帯電話端末２の端末ＩＤは、例えばメモリ１０８に記憶される。
【００４１】
ステップＳ１０２において、携帯電話端末１の第２無線回路１０４は、固定電話端末３と通信可能であるか否かを判定する。固定電話端末３と通信可能である場合、ステップＳ１０３に移行する。固定電話端末３と通信不可能である場合、ステップＳ１０１に戻る。
【００４２】
ステップＳ１０３において、第２無線回路１０４は、固定電話端末３と通信を確立する。
【００４３】
ステップＳ１０４において、携帯電話端末１のＣＰＵ１０６は、第２無線回路１０４を用いて、携帯電話網４２で通話中の端末ＩＤ（電話番号）に、固定電話網４１からも発信を行う。
【００４４】
ステップＳ１０５において、携帯電話端末１のＣＰＵ１０６は、固定電話網４１で呼が確立されたか否かを判定する。固定電話網４１で呼が確立された場合、ステップＳ１０６に移行する。固定電話網４１で呼が確立されない場合、ステップＳ１０７に移行する。ステップＳ１０７では、携帯電話網４２での通話が継続される。
【００４５】
ステップＳ１０６において、携帯電話端末１のＣＰＵ１０６は、音声のパスを固定電話網４１側に切り替える。具体的には、ＣＰＵ１０６は、マイク１１２から入力された音声信号を、音声制御回路１０７、信号処理回路１０５、及び第２無線回路１０４を介して、第２アンテナ１０２から送出するよう制御する。
【００４６】
ステップＳ１０８において、ＣＰＵ１０６は、携帯電話網４２との接続を切断する。
【００４７】
このように、発信側の携帯電話端末１は、携帯電話網４２と通信中に固定電話端末３（固定電話網４１）との通信を開始し、固定電話端末３（固定電話網４１）を用いた通話に切り替える。
【００４８】
＜着信側端末＞
次に、着信側の携帯電話端末２の構成について図５を用いて説明する。着信側の携帯電話端末２は、１系統の無線通信インタフェースのみを備える点で、携帯電話端末１とは異なっている。携帯電話端末２は、図３に示すように、アンテナ２０１と、無線回路２０３と、信号処理回路２０５と、ＣＰＵ２０６と、メモリ２０８と、キー入力装置２０９と、音声制御回路２０７と、マイク２１２と、スピーカ２１１と、表示装置２１０を備える。図５の無線回路２０３は、図３の第１無線回路１０３と同様の構成を有している。その他の構成については、発信側の携帯電話端末１の構成と同様である。
【００４９】
アンテナ２０１で受信した電波は、無線回路２０３でダウンコンバートされて、信号処理回路２０５に入力される。信号処理回路２０５は、通信に必要な信号処理を行い、音声信号を音声制御回路２０７に伝達する。音声制御回路２０７は、ＣＰＵ２０６の指示に従い、音声信号をデジタル／アナログ変換し、スピーカ２１１を介して出力する。
【００５０】
なお、ＣＰＵ２０６は、メモリ２０８内に格納されているプログラムを実行することで、図６に示す端末識別子判定部３０４と通話制御部３０５の機能を実現する。また、図６の端末ＩＤ記憶部３０２とユーザ情報記憶部３０３は、メモリ２０８内に構成される。
【００５１】
ユーザ情報記憶部３０３は、図７に示すように、例えばユーザＩＤと、ユーザ名と、端末ＩＤとを対応づけたユーザ情報を記憶している。ここでは、端末ＩＤが、端末ＩＤの種別毎に記憶されている。図７の例では、端末ＩＤ１のＩＤ種別は携帯電話番号であり、端末ＩＤ２のＩＤ種別は固定電話番号であり、端末ＩＤ３のＩＤ種別はメールアドレスである。
【００５２】
次に、図８に示すフローチャートを参照して、着信側の携帯電話端末２の詳細な動作について説明する。
【００５３】
ステップＳ２０１において、通話制御部３０５は、発信側の携帯電話端末２と通話中であるか否かを判定する。発信側の携帯電話端末２と通話中である場合、ステップＳ２０２に移行する。発信側の携帯電話端末２の端末ＩＤは、端末ＩＤ記憶部３０２に記憶される。
【００５４】
ステップＳ２０２において、通話制御部３０５は、発信側の携帯電話端末２と通話中に、新たな着信があったか否かを判定する。発信側の携帯電話端末２と通話中に、新たな着信があった場合、ステップＳ２０３に移行する。発信側の携帯電話端末２と通話中に、新たな着信がない場合、ステップＳ２０１に戻る。
【００５５】
ステップＳ２０３において、通話制御部３０５は、ステップＳ２０１で行っていた通話が、自端末から発信したものであるか、通話相手端末から発信したものであるかを判定する。ステップＳ２０１で行っていた通話が、自端末から発信したものである場合、ステップＳ２０６に移行する。ステップＳ２０１で行っていた通話が、通話相手端末から発信したものである場合、ステップＳ２０４に移行する。
【００５６】
ステップＳ２０４において、端末ＩＤ判定部３０４は、ステップＳ２０１で記憶した端末ＩＤと、ステップＳ２０２で通知された端末ＩＤをユーザ情報記憶部３０３から検索し、各端末ＩＤが同一のユーザに対応づけられているか否かを判定する。各端末ＩＤが同一のユーザに対応づけられている場合、ステップＳ２０５に移行する。各端末ＩＤが異なるユーザに対応づけられている場合、あるいはユーザ情報記憶部３０３に端末ＩＤが登録されていない場合は、ステップＳ２０６に移行する。
【００５７】
ステップＳ２０５において、通話制御部３０５は、ステップＳ２０２で着信した新たな呼に、通話を自動的に切り替える。
【００５８】
なお、ステップＳ２０６においては、通常の通話中着信処理が実行される。
【００５９】
以上詳細に説明したように、第１実施形態によれば、発信側の携帯電話端末１が、携帯電話網４２を用いた通話中に、通話を維持したまま固定電話網４１への切り替えを自動的に行うことができるため、通話料金を減少させることができると共に、安定した通話を実現可能となる。また、既存の通信網４の構成に変更を加えることなく実現できるので、多大な開発コストを要することがない。電話会社、電話番号に縛られることなく、携帯電話網４２から固定電話網４１への切り替えが可能となる。
【００６０】
更に、既存のアドレス帳機能を利用することで、特別なデータベースを設けることなく、通話の切り替えを行うことができる。
【００６１】
（第１実施形態の変形例）
上述した第１実施形態においては、通話の切り替えを自動的に行う場合について説明した。本発明の第１実施形態の変形例として、着信側の携帯電話端末２で、通話切り替えを行うか否かをユーザが選択可能とする場合について説明する。
【００６２】
すなわち、第１実施形態の変形例に係る通話切り替え方法では、図９のステップＳ３１において、着信側の携帯電話端末２が、通話を切り替えるか否かを選択するようユーザに促す。具体的には、図９のステップＳ３１において、図５の表示装置２１０又はスピーカ２１１等から、「現在通話中の相手からの着信ですが、通話を切り替えて良いですか？」といったメッセージを通知する。
【００６３】
したがって、第１実施形態の変形例によれば、携帯電話網４２での通話を維持した方が、通話料を安くできるような場合には、ユーザの意志で固定電話網４１を用いた通話に切り替えないようにすることができる。
【００６４】
（第２実施形態）
本発明の第２実施形態として、図１の携帯電話端末２が発信側端末であり、携帯電話端末１が着信側端末である場合について、図１０に示すシーケンス図を用いて説明する。なお、携帯電話端末１のハードウェア構成は図３と同様であり、携帯電話端末２のハードウェア構成は図５と同様である。
【００６５】
図１０のステップＳ４１において、発信側の携帯電話端末２は、着信側の携帯電話端末１に対する呼設定要求を送信する。発信側の携帯電話端末２が通信網４（携帯電話網４２）に送信する呼設定要求には、自端末の端末ＩＤ“ＩＤ２”と、携帯電話端末１の端末ＩＤ“ＩＤ１”が含まれている。
【００６６】
ステップＳ４２において、発信側の携帯電話端末２は、着信側の携帯電話端末１の端末ＩＤ“ＩＤ１”を記憶する。
【００６７】
ステップＳ４３において、携帯電話網４２は、携帯電話端末１の端末ＩＤ“ＩＤ１”と、携帯電話端末２の端末ＩＤ“ＩＤ２”を含む呼出し信号を報知する。着信側の携帯電話端末１は、呼出し信号を受信し、携帯電話端末１のユーザの操作によって携帯電話端末２とのコネクションを設定する。
【００６８】
ステップＳ４４で、携帯電話端末１と携帯電話端末２との間で通話が開始される。ここで、発信側の携帯電話端末１が移動したことにより、固定電話端末３と通信可能な状態になったものとする。
【００６９】
ステップＳ４５において、着信側の携帯電話端末１は、固定電話端末３と接続を確立する。更に、着信側の携帯電話端末１は、発信側の携帯電話端末２に対する呼設定要求を、固定電話端末３に通知する。
【００７０】
ステップＳ４６において、固定電話端末３は、ステップＳ４５で通知された呼設定要求を、固定電話網４１に通知する。この呼設定要求には、固定電話端末３の端末ＩＤ“ＩＤ３”と、発信側の携帯電話端末２の端末ＩＤ“ＩＤ２”が含まれている。固定電話網４１の交換機４１１は、呼設定要求を携帯電話網４２の交換機４１２に転送する。
【００７１】
ステップＳ４７において、携帯電話網４２の交換機４１２は、携帯電話端末２が通話中であるため、発信側の携帯電話端末２が通話中着信サービスを利用しているか否かを判定する。発信側の携帯電話端末２は通話中着信サービスを利用しているため、携帯電話網４２の交換機４１２は、ステップＳ４８において、固定電話端末３の端末ＩＤ“ＩＤ３”と、発信側の携帯電話端末２の端末ＩＤ“ＩＤ２”を含む呼出し信号を報知する。
【００７２】
ステップＳ４９において、発信側の携帯電話端末２は、上述したユーザ情報を参照して、ステップＳ４３で記憶した端末ＩＤ“ＩＤ１”と、ステップＳ４８で通知された固定電話端末３の端末ＩＤ“ＩＤ３”とが、同一のユーザに対応づけられているか否かを判定する。ここでは、端末ＩＤ“ＩＤ１”と、端末ＩＤ“ＩＤ３”と、が同一のユーザに対応づけられているので、発信側の携帯電話端末２は、現在通話中のユーザからの着呼であると判定する。
【００７３】
ステップＳ５０において、発信側の携帯電話端末２は、固定電話網４１を用いた通話に自動的に切り替える。この結果、ステップＳ５１において、携帯電話端末１と携帯電話端末２は、固定電話端末３及び固定電話端末３を介した通話を開始する。
【００７４】
このように、第２実施形態に係る通話切り替え方法によれば、着信側の携帯電話端末１が携帯電話網４２を用いた通話中に、通話を維持したまま固定電話網４１への切り替えを自動的に行うことができる。
【００７５】
（第３実施形態）
本発明の第３実施形態として、図１の携帯電話端末２が発信側端末であり、携帯電話端末１が着信側端末である場合について、図１１に示すシーケンス図を用いて説明する。なお、携帯電話端末１のハードウェア構成は図３と同様であり、携帯電話端末２のハードウェア構成は図５と同様である。
【００７６】
図１１のステップＳ６１において、発信側の携帯電話端末２は、着信側の携帯電話端末１に対する呼設定要求を送信する。発信側の携帯電話端末２が通信網４（携帯電話網４２）に送信する呼設定要求には、自端末の端末ＩＤ“ＩＤ２”と、携帯電話端末１の端末ＩＤ“ＩＤ１”が含まれている。
【００７７】
ステップＳ６２において、発信側の携帯電話端末２は、着信側の携帯電話端末１の端末ＩＤ“ＩＤ１”を記憶する。
【００７８】
ステップＳ６３において、携帯電話網４２は、携帯電話端末１の端末ＩＤ“ＩＤ１”と、携帯電話端末２の端末ＩＤ“ＩＤ２”を含む呼出し信号を報知する。着信側の携帯電話端末１は、呼出し信号を受信し、携帯電話端末１のユーザの操作によって携帯電話端末２とのコネクションを設定する。
【００７９】
ステップＳ６４で、携帯電話端末１と携帯電話端末２との間で通話が開始される。ここで、発信側の携帯電話端末１が移動したことにより、固定電話端末３と通信可能な状態になったものとする。
【００８０】
ステップＳ６５において、着信側の携帯電話端末１は、固定電話端末３と接続を確立する。更に、着信側の携帯電話端末１は、発信側の携帯電話端末２に対する呼設定要求を、固定電話端末３に通知する。
【００８１】
ステップＳ６６において、固定電話端末３は、ステップＳ６５で通知された呼設定要求を、固定電話網４１に通知する。この呼設定要求には、固定電話端末３の端末ＩＤ“ＩＤ３”と、発信側の携帯電話端末２の端末ＩＤ“ＩＤ２”が含まれている。固定電話網４１の交換機４１１は、呼設定要求を携帯電話網４２の交換機４１２に転送する。
【００８２】
ステップＳ６７において、携帯電話網４２の交換機４１２は、携帯電話端末２が通話中であるため、発信側の携帯電話端末２が通話中着信サービスを利用しているか否かを判定する。発信側の携帯電話端末２は通話中着信サービスを利用しているため、携帯電話網４２の交換機４１２は、ステップＳ６８において、固定電話端末３の端末ＩＤ“ＩＤ３”と、発信側の携帯電話端末２の端末ＩＤ“ＩＤ２”を含む呼出し信号を報知する。
【００８３】
ステップＳ６９において、発信側の携帯電話端末２は、上述したユーザ情報を参照して、ステップＳ６３で記憶した端末ＩＤ“ＩＤ１”と、ステップＳ６８で通知された固定電話端末３の端末ＩＤ“ＩＤ３”とが、同一のユーザに対応づけられているか否かを判定する。ここでは、端末ＩＤ“ＩＤ１”と、端末ＩＤ“ＩＤ３”と、が同一のユーザに対応づけられているので、発信側の携帯電話端末２は、現在通話中のユーザからの着呼であると判定する。
【００８４】
ステップＳ７０において、発信側の携帯電話端末２は、携帯電話端末１との通話を一旦切断すると共に、固定電話端末３に対する呼設定要求をステップＳ７１にて送信する。
【００８５】
ステップＳ７２において、携帯電話網４２の交換機４１２は、ステップＳ７１で送信された呼設定要求を、固定電話網４１の交換機４１１に転送する。この結果、固定電話網４１は、固定電話端末３に対して呼出し信号を送信する。また、ステップＳ７３において、固定電話端末３は、呼出し信号を携帯電話端末１に転送する。
【００８６】
ステップＳ７４において、携帯電話端末１と携帯電話端末２との間で、固定電話端末３及び固定電話端末３を介した通話が開始される。
【００８７】
このように、第３実施形態に係る通話切り替え方法によれば、発信側の携帯電話端末２が、１回目の通話と２回目の通話のいずれにおいても発信側となるため、課金制御を容易にすることができる。
【００８８】
（その他の実施形態）
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００８９】
上述した実施形態においては、通話中着信サービスの一例としてキャッチホン（登録商標）サービスを挙げたが、同様のサービスであれば他のサービスを利用してもかまわない。
【００９０】
また、移動通信端末として携帯電話端末を使用する場合について説明したが、ＰＨＳ端末等を使用しても良い。
【００９１】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【００９２】
【図１】本発明の第１実施形態に係る移動通信システムの全体構成例を示す模式図である。
【図２】本発明の第１実施形態に係る通話切り替え方法を示すシーケンス図である。
【図３】本発明の第１実施形態に係る発信側の携帯電話端末のハードウェア構成例を示すブロック図である。
【図４】本発明の第１実施形態に係る発信側の携帯電話端末の動作例を示すフローチャートである。
【図５】本発明の第１実施形態に係る着信側の携帯電話端末のハードウェア構成例を示すブロック図である。
【図６】本発明の第１実施形態に係る着信側の携帯電話端末の概略機能構成例を示すブロック図である。
【図７】本発明の第１実施形態に係るユーザ情報の一例を示す模式図である。
【図８】本発明の第１実施形態に係る着信側の携帯電話端末の動作例を示すフローチャートである。
【図９】本発明の第１実施形態の変形例に係る通話切り替え方法を示すシーケンス図である。
【図１０】本発明の第２実施形態に係る通話切り替え方法を示すシーケンス図である。
【図１１】本発明の第３実施形態に係る通話切り替え方法を示すシーケンス図である。
【符号の説明】
【００９３】
１，２…携帯電話端末
３…固定電話端末
４…通信網
４１…固定電話網
４２…携帯電話網
１０１…第１アンテナ
１０２…第２アンテナ
１０３…第１無線回路
１０４…第２無線回路
１０５，２０５…信号処理回路
１０６，２０６…ＣＰＵ
１０７，２０７…音声制御回路
１０８，２０８…メモリ
１０９，２０９…キー入力装置
１１０，２１０…表示装置
１１１，２１１…スピーカ
１１２，２１２…マイク
２０１…アンテナ
２０３…無線回路
３０２…端末ＩＤ記憶部
３０３…ユーザ情報記憶部
３０４…端末ＩＤ判定部
３０５…通話制御部
４１１，４１２…交換機
４１３，４１４…基地局
【図１】
2008022368.tif 000003
【図２】
2008022368.tif 000004
【図３】
2008022368.tif 000005
【図４】
2008022368.tif 000006
【図５】
2008022368.tif 000007
【図６】
2008022368.tif 000008
【図７】
2008022368.tif 000009
【図８】
2008022368.tif 000010
【図９】
2008022368.tif 000011
【図１０】
2008022368.tif 000012
【図１１】
2008022368.tif 000013